(57)【特許請求の範囲】
【請求項１】
外枠と、前記外枠に開閉可能に装着される木製の内枠と、
前記内枠の裏側に配設される機構盤上に設けられて、補給装置から落下するパチンコ球を受けて貯留し、賞球の払い出しにともなってこのパチンコ球を順次払い出す賞球払出システムと、
前記内枠の裏側の下方に固設されて、上皿から溢れた賞球を受けて下皿に案内する下皿受け部と、
前記パチンコゲーム機の遊技動作を制御する制御回路が構成されたメイン基板とを備えたパチンコゲーム機において、
前記賞球払出システムは、
パチンコ球を貯留する賞球タンクと、
パチンコ球を所定の個数ずつ払い出す賞球ケースへ案内する賞球案内部と、
前記賞球タンクの下方からこの賞球案内部へパチンコ球を送る通路を形成するタンクレールと、
を有し、
前記タンクレールのパチンコ球と接触するように通路入口の近傍位置の通路内側に取り付けられた第３金属板と、
前記賞球案内部内には、賞球ケースにパチンコ球を送る複数路の賞球通路が形成され、この各賞球通路内に取り付けられた複数の第４金属板と、
前記下皿受け部と前記内枠との間に挟持されて該内枠に接地されると共に該下皿受け部内の底面を覆う延出部を有する第５金属板と、
前記機構盤の前記タンクレールの長手方向中央に対向する裏側に固着される第６金属板と、
を備え、
前記メイン基板は、前記タンクレールの通路入口側の近傍に配置され、
前記第３金属板と各第４金属板は、前記第６金属板にそれぞれアース線で結線接続されると共に、該第６金属板は、該第６金属板から前記賞球案内部側に引き回された後、下方に引き回されたアース線で前記第５金属板に結線接続され、
該第３金属板と各第４金属板に流れた静電気の電荷は、該第６金属板に集合させられた後、該第５金属板に流れて前記内枠に接地されることを特徴とするパチンコゲーム機。
【発明の詳細な説明】
【０００１】
【発明の属する技術分野】
本発明は、パチンコ球に発生する静電気の影響を考慮したパチンコゲーム機に関し、特に、パチンコゲーム機背面に配設された賞球払出システム内のパチンコ球に帯電した静電気が確実に除電されるパチンコゲーム機に関するものである。
【０００２】
【従来の技術】
最近のパチンコゲーム機では、遊技内容に変化を加えることによってパチンコゲーム機を利用する遊技者の興味を高めるべく種々の役物が備えられている。そのような中、パチンコゲーム機には役物の制御を含む各種機器の制御に非常に多くの電子制御回路が組み込まれ、役物制御回路、表示回路、或いは賞球の排出制御回路などの各種回路が存在する。そして、このような回路にはマイクロコンピュータ等を含む電子制御回路が主流となり、その構造も非常に複雑なものになってきている。
一方、パチンコゲーム機に使用されるパチンコ球は、導電体である鉄によって形成されて研磨処理などが施されたものであるが、そのパチンコ球には研磨剤との摩擦によって静電気が発生し帯電することとなる。また、循環して使用されるパチンコ球は、パチンコ球同士の摩擦、若しくはパチンコ球とプラスチック材やセルロイド材が用いられている通路との摩擦などを原因としても静電気が発生することとなる。
【０００３】
そのため、パチンコゲーム機では、このようなパチンコ球に生じた静電気を原因とした誤動作が問題となっている。即ち、前述した各種電子回路はノイズに弱く、静電気がパチンコ球からパルス性のノイズとして発生することを原因として回路の誤動作や動作停止などの種々の障害が生じる。パチンコ球に帯電した電荷は放電現象のようにして高電圧パルスとして発生し、マイコン化された電子回路にノイズとなって生じるためである。
そこで、従来からこのような静電気に対する対策としてハードウェアの面、及びソフトウェアの面から種々の取り組みがなされてきている。しかし、これらは比較的小さいパルス性のノイズに対して有効であるものの、放電のように大きなパルス性のノイズでは、電子回路の耐圧を越える電圧が印加され各電子回路が物理的に破壊されてしまうといった問題に対処できるものではなかった。
【０００４】
ところで、パチンコ球は、島設備内を下から上へと循環して各パチンコゲーム機に供給されるため、島設備内のパチンコ球の循環機やパチンコゲーム機に賞球タンク等のようにパチンコ球が大量に集められる場所がある。そのような場所では、パチンコ球同士の衝突が激しく特に静電気が発生し易い。そのため従来から、静電気に対する対策として賞球タンクへ金属板を設置し、その金属板と遊技機本体枠などのアース側とをアース線で結ぶような方法がとられてきた。
また、このような静電気対策を施したパチンコゲーム機は種々開発され、その他には具体的に特開平６―２６９５５２号公報に開示されたパチンコゲーム機を挙げることができる。そこで以下に、本従来例を図１０及び図１１を参照して簡単に説明する。図１０は、本従来例に係るパチンコゲーム機の前面枠を開放した状態の斜視図である。また、図１１は、本従来例に係るパチンコゲーム機の機構板からメイン基板ボックスを取り外して示す要部の斜視図である。
【０００５】
図１０に示すように、パチンコゲーム機１０１は、側枠１０２の前面に前面枠１０３が開閉可能に軸にて回転するように取り付けられている。前面枠１０３の裏面には、遊技盤１０４が着脱自在なように遊技盤取付枠１０５に取り付けられている。遊技盤取付枠１０５は、通常合成樹脂で形成されるところ本従来例では導電性部材である鉄板で形成されている。
遊技盤取付枠１０５の片側には合成樹脂製の機構板１０６が開閉自在に蝶番により取り付けられている。機構板１０６は、遊技盤取付枠１０５に取り付けられる遊技盤１０４の裏面に相対する板状部１０６ａを有し、その板状部１０６ａのほぼ中央には、基板ボックス１０８を突出させる程度の大きさの窓部１０７が形成されている。
機構板１０６の板状部１０６ａには、背面上部に賞球タンク１０９が設けられている。この賞球タンク１０９の下方には賞品球を整列して導き出す球通路としての樋レール１１０が形成されている。また、樋レール１１０の下方には所定個数の賞球を払い出す賞球ケース１１１が設けられ、不図示の打球供給皿へ排出する図１１に示す垂直球通路１１２へとつなげられている。
【０００６】
一方、機構板１０６には、図１１に示すよう各種電装部品の動作を制御するための電子回路基板が収納されるメイン基板ボックス１１３が装着される。このメイン基板ボックス１１３は、合成樹脂製のカバー１１４と導電性部材としての鉄板からなる底板１１５とで箱体をなしている。そして、このメイン基板ボックス１１３の底板１１５の片側には、側面から見てＬ形に折り曲げられた接触片１１６が一体に形成されている。これに対し、メイン基板ボックス１１３を装着する機構板１０６には、複数のねじ孔と接触片１１６に対応する位置に開口部１１７が形成されている。
そのため、メイン基板ボックス１１３を機構板１０６へ装着し前面枠１０３を閉じた場合には、開口部１１７を突き抜けた接触片１１６が遊技盤取付枠１０５の下方で張り渡された下部面１０５ａに接触することとなる（図１０参照）
従って、パチンコ球や機構板１０６に帯電した静電気は、メイン基板ボックス１１３の底板１１５または遊技盤取付枠１０５に逃がされることとなり、そのメイン基板ボックス１１３に収納された電子回路基板への放電を防止できる。
【０００７】
【発明が解決しようとする課題】
しかしながら、先に示した従来のパチンコゲーム機では以下のような問題がある。
先ず、賞球タンクなど帯電したパチンコ球と接触する位置に配設した金属板とアース側へアース線を掛け渡して導通させたパチンコゲーム機では、アース側である枠体を開閉する際にアース線を無理に引っ張って切断してしまうという問題がある。また、そのような事故を避けるには、開閉の度ごとに金属板或いはアース側のアース線の接触部を取り外す必要があり、非常に手間のかかるものであり、作業効率が低下するという問題がある。
【０００８】
一方、図面を示して説明した従来のパチンコゲーム機では、帯電した静電気を放電するのにアース線を使用することがないため前述した枠体の開閉の際の不都合はないが、次の点で問題がある。
先ず、当該従来例は、パチンコ球や機構板１０６に帯電した静電気を除電するものであるが、メイン基板が放電されないようにすることを趣旨とするものである。そのため、遊技盤取付枠１０５とメイン基板ボックス１１３の底板１１５とを導電性部材で形成し、前面枠１０３を閉じた際に両者が底板１１５に一体に形成された接触片１１６で導通する構成をとるものであって、他の制御回路、例えば基板ボックス１０８に収納された電子回路基板は、依然としてパチンコ球に帯電した静電気の影響を受けることになる。従って、本従来例のパチンコゲーム機では、メイン基板への放電には対処できるものの、パチンコ球から他の回路基板へ放電される場合の問題は解決されていない。
【０００９】
また、遊技盤取付枠１０５を樹脂製のものに代えて鉄板などの導電性部材から形成したものとしたのでは、製造コストアップになるという問題がある。
さらには、メイン基板ボックス１１３の底板１１５を鉄板とし、その底板１１５に対し接触片１１６を一体に形成する一方、遊技盤取付枠１０５へは接触片１１６を通すための開口部１１７を形成する必要があり、部品点数及び構成の複雑さの点から組立作業効率の低下、および製造コストアップになるという問題がある。
【００１０】
そこで、本発明は、かかる問題点を解消すべく、取り扱いに便利な、また簡易な構成からなり、パチンコ球の摩擦等により発生する静電気を確実に除電できるパチンコゲーム機を提供することを目的とする。
【００１１】
【課題を解決するための手段】
前記目的を達成するため請求項１に係るパチンコゲーム機は、外枠と、前記外枠に開閉可能に装着される木製の内枠と、前記内枠の裏側に配設される機構盤上に設けられて、補給装置から落下するパチンコ球を受けて貯留し、賞球の払い出しにともなってこのパチンコ球を順次払い出す賞球払出システムと、前記内枠の裏側の下方に固設されて、上皿から溢れた賞球を受けて下皿に案内する下皿受け部と、前記パチンコゲーム機の遊技動作を制御する制御回路が構成されたメイン基板とを備えたパチンコゲーム機において、前記賞球払出システムは、パチンコ球を貯留する賞球タンクと、パチンコ球を所定の個数ずつ払い出す賞球ケースへ案内する賞球案内部と、前記賞球タンクの下方からこの賞球案内部へパチンコ球を送る通路を形成するタンクレールと、を有し、前記タンクレールのパチンコ球と接触するように通路入口の近傍位置の通路内側に取り付けられた第３金属板と、前記賞球案内部内には、賞球ケースにパチンコ球を送る複数路の賞球通路が形成され、この各賞球通路内に取り付けられた複数の第４金属板と、前記下皿受け部と前記内枠との間に挟持されて該内枠に接地されると共に該下皿受け部内の底面を覆う延出部を有する第５金属板と、前記機構盤の前記タンクレールの長手方向中央に対向する裏側に固着される第６金属板と、を備え、前記メイン基板は、前記タンクレールの通路入口側の近傍に配置され、前記第３金属板と各第４金属板は、前記第６金属板にそれぞれアース線で結線接続されると共に、該第６金属板は、該第６金属板から前記賞球案内部側に引き回された後、下方に引き回されたアース線で前記第５金属板に結線接続され、該第３金属板と各第４金属板に流れた静電気の電荷は、該第６金属板に集合させられた後、該第５金属板に流れて前記内枠に接地されることを特徴とする。
【００１２】
このような特徴を有する請求項１に係るパチンコゲーム機においては、タンクレール内を通過するパチンコ球に帯電された静電気、およびタンクレール自体がパチンコ球との摩擦等により帯電された静電気が第３金属板からアース線を介して第６金属板に流れ、更にアース線を介して第５金属板に流れて内枠に接地されるため、ほとんど除電されるとともに、このタンクレールの通路入口の近傍位置に配設されるメイン基板への静電気の悪影響を防止することができる。また、賞球タンク内にパチンコ球がほとんど無い場合でも、タンクレール内のパチンコ球およびタンクレール自体の帯電した静電気を第３金属板を介して除電できる。さらに、賞球タンクから第３金属板上へパチンコ球が落下するため、タンクレール入口のパチンコ球の落下による磨耗等を防止することができる。
また、賞球案内部内に複数形成される各賞球通路内に複数の第４金属板が取り付けられるため、賞球案内部内を通過するパチンコ球に帯電された静電気を各第４金属板からアース線を介して第６金属板に流れ、更にアース線を介して第５金属板に流れて内枠に接地されるため、ほとんど除電できると共に、この賞球案内部の上側近傍位置に配設される中継回路基板等への静電気の悪影響を防止することができる。
また、第５金属板の一端部が下皿受け部の底面を覆うため、下皿入口でパチンコ球に帯電した静電気を第５金属板を介してほとんど除電できるため、この下皿受け部の近傍位置に配設されるコントロールボックス内のコントロール基板等への静電気の悪影響を効果的に防止することができる。また、上皿から下皿受け部内の第５金属板上にパチンコ球が落下するため、下皿受け部底面のパチンコ球の落下による磨耗等を防止することができる。
更に、第３金属板と各第４金属板とを、一度、第６金属板にそれぞれアース線で結線接続後、この第６金属板を第５金属板にアース線で結線接続して木製の内枠に接地するため、第３金属板及び各第４金属板から引き出される接地用配線の長さを短くすることが可能になると共に、第６金属板から第５金属板への接地用配線が１本で可能なため、接地用の配線本数を大幅に削減できて、作業効率の向上を図ることができる。
【００１３】
【００１４】
【００１５】
【００１６】
【００１７】
【００１８】
【００１９】
【００２０】
【００２１】
【００２２】
【００２３】
【００２４】
【００２５】
【００２６】
【００２７】
【００２８】
【００２９】
【００３０】
【００３１】
【００３２】
【００３３】
【００３４】
【００３５】
【００３６】
【００３７】
【発明の実施の形態】
次に、本発明にかかるパチンコゲーム機の一実施の形態について具体的に説明する。図１は、本実施形態に係るパチンコゲーム機全体を示した背面図である。  このパチンコゲーム機１は、所定量のパチンコ球を賞球として払い出すものであり、木製の外枠２に対して木製の内枠１６がヒンジ部材等を介して開閉自在に取り付けられている。また、この内枠１６のほぼ中央部には遊技盤が着脱自在なように鉄板等の金属製の機構盤１７が取り付けられている。そして、この機構盤１７の片側には合成樹脂製の機構セット盤３が開閉自在に蝶番により取り付けられている。外枠２及び内枠１６は、現在では樹脂製のものが主流となっているが、本実施の形態では後述する除電効果を得るために木製のものとしている。
パチンコゲーム機１の裏側最上段には、上方に開口した賞球タンク４が機構セット盤３に固定されている。賞球タンク４の直上には補給装置５が配設され、吐出部５ａが垂直に降りている。賞球タンク４は、傾斜した底面に連通孔４Ａ（図３参照）が形成され、その連通孔４Ａ下方にはパチンコ球を２列に整列流出し得る傾斜したタンクレール６が取付けられている。また、賞球タンク４内には、その側面に後述する導電性部材である第１金属板を構成するアース板１４が装着されている。また、タンクレール６のパチンコ球入口部には後述する導電性部材である第３金属板を構成するタンクレールアース板２２が装着されている（図４参照）。また、機構セット盤３のタンクレール６のほぼ中央の裏側には、後述する導電性部材である第６金属板を構成する接地用中継板２１がネジ止めされている。
【００３８】
また、賞球ケース１２へパチンコ球を案内する賞球案内部７内には、タンクレール６の下流側のパチンコ球をさらに減圧して送り出す２列の賞球通路８を形成する送出樋８Ａ、８Ｂがネジ止めされ、各賞球通路８には、後述する導電性部材である第４金属板を構成する賞球ケースアース板２３、２４が内側に挟まれて、且つ、ネジ止めされている（図５参照）。
また、賞球ケース１２には、各賞球通路８を通過するパチンコ球の数を確認する確認スイッチ、パチンコ球の送り出しを調節する払い出しソレノイド等（いずれも不図示）が内装されている。そして、これら賞球タンク４、タンクレール６、賞球案内部７、賞球ケース１２、確認スイッチ、及び払い出しソレノイド等により賞球払出システムが構成されている。
そして、賞球ケース１２の下流側には排出部が形成され、排出路９ａ及び下部受け皿満タンスイッチが内装された排出路９ｂが下端部下方に開口して形成されている。また、この開口部の下方には、上皿から溢れた賞球を受けて下皿に案内する下皿受け部を構成する下部受皿ボックス１９がボルトにより内枠１６の裏側に取り付けられている。また、この下部受皿ボックス１９と内枠１６との間に後述する導電性部材である第５金属板を構成する下部受皿アース板２５が挟まれて固定されている（図６参照）。
【００３９】
また、機構セット盤３上には、基板ボックス内に配置されるメイン基板１０が、遊技盤裏面を覆うセンタカバー１１に装着された状態で固定されている。このメイン基板１０には、パチンコゲーム機１の遊技動作などを制御する制御回路が構成されている。そして、その制御回路は、制御動作を所定の手順で実行することができるＣＰＵ、その動作プログラムデータを格納するＲＯＭ、データの書き込み及び読み出しを行うＲＡＭ、又は入出力回路やクロック発生器などを含むマイクロコンピュータが装着されている。
また、メイン基板１０の下側には、コントロール基板が装着されたコントロールボックス１８が取り付けられている。このコントロール基板は、賞球払出等の制御を行うための制御回路を構成している。さらに、機構セット盤３の上方角部（図１中、右上角部）には、中継基板２０が設けられている。この中継基板２０は、パチンコゲーム機１とホールコンピュータをつなぐ基板である。
【００４０】
次に、賞球タンク４に取り付けられた賞球タンクアース板１４について図２及び図３に基づいて説明する。図２は、本実施形態に係るパチンコゲーム機１の賞球タンク４を示した斜視図である。図３は、本実施形態に係るパチンコゲーム機１の側面を示した一部断面図である。
図２に示すように、賞球タンク４は上方に開口した箱体をなすものであり、その機構セット盤３側の側面に亜鉛メッキ銅からなる賞球タンクアース板１４が装着されている。その賞球タンクアース板１４は、長方形の板材の長手方向の片側に接触片１４Ａが突き出して形成され、他方タンクレール６への連通孔４Ａには垂直に折れた段差片１４Ｂが突き出して形成されている。
【００４１】
また、図３に示すように、賞球タンクアース板１４の接触片１４Ａの頂部が外枠２へ接触するよう装着されている。そして、パチンコゲーム機１の外枠２は前述したように木で作られたものであって、その賞球タンクアース板１４の接触片１４Ａが接触する接触部には導電性部材である第２金属板を構成する放電板１５が貼着されている。放電板１５には、例えばアルミやステンレスなどが使用される。一方、段差片１４Ｂは賞球タンク４の底部に開設された連通孔４Ａ内に挿入されている。
【００４２】
これにより、このような賞球タンクアース板１４及び外枠２に貼着された放電板１５からなる除電手段によって、賞球タンク４内に蓄えられたパチンコ球が、そのタンク内で激しく衝突しあい多くの静電気が帯電したとしても、賞球タンクアース板１４に接触することで電荷が放電板１５を介して木製の外枠２へと接地されることとなる。特に、賞球タンクアース板１４は、賞球タンク４内のパチンコ球の流れに沿って連通孔４Ａに至るまで設けられているので、賞球タンク４内に蓄えられたパチンコ球の静電気は、タンクレール６に至るまでにほとんど除電されることとなる。
【００４３】
次に、タンクレール６に取り付けられるタンクレールアース板２２について図４に基づいて説明する。図４は、本実施形態に係るパチンコゲーム機１のタンクレールアース板２２のタンクレール６への装着を示す斜視図である。
図４に示すように、合成樹脂製のタンクレール６は、通路内側の底面の平らな部分に設けられたリブ６Ａにより２列の通路が形成されている。また、賞球タンク４の連通孔４Ａに対向する通路入口部の端面には、側壁６Ｂが設けられ、この側壁６Ｂの下端縁から底面まではなだらかに湾曲している。
また、アルミやステンレス等からなるタンクレールアース板２２は、略Ｌ字形をしており、その底面曲がり部は、タンクレール６の通路入口部の底面の湾曲に沿うように形成されている。また、リブ６Ａに対向する部分には、溝部２２Ａが形成されており、タンクレールアース板２２がタンクレール６の通路内側の底面に密着するようになっている。また、この底面に密着する各端面部には、下側に直角に折り曲げれる取付片２２Ｂ、２２Ｂが形成されて、取付時にタンクレール６の底面に形成される貫通孔に挿通後、直角に折曲げられる。また、タンクレールアース板２２の側壁６Ｂに密着する側面の端縁部は直角に外側に折り曲げ後、ほぼ側壁６Ｂの厚さの幅で下側に直角に折り曲げられている。そして、この端面部に結線片２２Ｃが外側にほぼ直角に折り曲げられて形成されている。これにより、タンクレールアース板２２は、折曲部を側壁６Ｂに挿入し、各取付片２２Ｂ、２２Ｂを折り曲げることによって、タンクレール６の通路入口部に取り付けられる。
【００４４】
これにより、賞球タンク４内に取り付けられた賞球タンクアース板１４によっって完全に除電できなかったパチンコ球の静電気は、パチンコ球が賞球タンク４からタンクレール６に落下してくるときにタンクレールアース板２２と接触することにより、タンクレールアース板２２に流れることとなる。また、タンクレール６内を送られる時に帯電した静電気も、タンクレール内にパチンコ球が詰まっている場合には、各パチンコ球を介してタンクレールアース板２２に静電気の電荷が流れることとなる。さらに、タンクレール６がパチンコ球との摩擦などにより帯電した静電気もタンクレールアース板２２を介して流れることとなる。
【００４５】
次に、賞球案内部７の各賞球通路８に取り付けられる賞球通路アース板２３、２４について図５に基づいて説明する。図５は、本実施形態に係るパチンコゲーム機１の機構セット盤３への各賞球通路アース板２３、２４と各送出樋８Ａ、８Ｂの装着を示す斜視図である。
図５に示すように、合成樹脂製の各送出樋８Ａ、８Ｂの機構セット盤３側には、略Ｓ字状の賞球通路のための溝が形成されている。そして機構セット盤３と送出樋８Ａとの間に挟まれて固定されるアルミやステンレス等よりなる賞球通路アース板２３は、ほぼ送出樋８Ａの賞球通路のために形成された溝を覆うように形成されている。また、賞球通路アース板２３のこの溝を覆わないほぼ中央部には取付用の貫通孔２３Ａと賞球通路アース板２４の結線片２４Ａが挿通される貫通孔２３Ｂとが形成されている。また、賞球通路アース板２３の上端面のほぼ中央部には機構セット盤３側に直角に折り曲げられた結線片２３Ｃが形成されている。
また、アルミやステンレス等よりなる賞球通路アース板２４は送出樋８Ｂの賞球通路のために形成された溝を覆うように略Ｓ字状に形成されている。そして、ほぼ中央部の折曲がり部内側には、機構セット盤３側に直角に折り曲げられた結線片２４Ａが形成されている。
各賞球通路アース板２３、２４と各送出樋８Ａ、８Ｂとの取付は、賞球通路アース板２３の貫通孔２３Ａに機構セット盤３のポスト３Ｃを挿入させつつ、結線片２３Ｃを機構セット盤３の貫通孔３Ａに挿入させて機構セット盤３に賞球通路アース板２３を密着させる。次に、送出樋８Ａを賞球通路アース板２３に密着させる。次に、賞球通路アース板２４の結線片２４Ａを機構セット盤３の貫通孔３Ｂに挿入させつつ、賞球樋８Ａに密着させる。次に、送出樋８Ｂを賞球通路アース板２４に密着させ、ネジ止めにより取り付ける。
【００４６】
これにより、賞球案内部７に２列の賞球通路８が形成されると共に、各賞球通路８内の一側面が各賞球通路アース板２３、２４によって形成される。従って、賞球案内部７内に形成される各賞球通路８内のパチンコ球は、各賞球通路アース板２３、２４に接触するため、タンクレール６や賞球通路８との摩擦等により多くの静電気を帯電した場合、賞球通路８を送られるときに、各賞球通路アース板２３、２４に静電気の電荷が流れることとなる。
【００４７】
次に、合成樹脂製の下部受皿ボックス１９と木製の内枠１６との間に挟まれて取り付けられるアルミやステンレス等からなる下部受皿アース板２５について図６に基づいて説明する。図６は、本実施形態に係るパチンコゲーム機１の内枠１６への下部受皿アース板２５と下部受皿ボックス１９の装着を示す斜視図である。
図６に示すように、木製の内枠１６の下側のほぼ中央部には下皿球出口１６Ｂが形成されている。そして、この内枠１６と下部受皿ボックス１９との間に挟まれて固定される下部受皿アース板２５は、この下皿球出口１６Ｂの周縁部の左右と下側部分を覆うように略コの字形であり、その下側周縁部の端面が後ろ側にほぼ直角に延出されて、延出部２５Ａを形成している。この、延出部２５Ａは、下部受皿ボックス１９の内側底面とほぼ同一形状である。また、この延出部２５Ａの後端面の左右両端縁部には、結線片２５Ｂ、２５Ｂが形成されている。また、下部受皿アース板２５の左側には、結線片２５Ｃが打ち抜き後、後側に直角に折り曲げられている。また、下部受皿アース板２５の左右周縁部には、下皿球出口１６Ｂの左右に形成された下部受皿ボックス１９を取り付けるための各取付孔１６Ａを避けるための逃がし部が形成されている。
また、下部受皿ボックス１９には、内枠１６の各取付孔１６Ａ、１６Ａに対応する位置に各取付孔１９Ａ、１９Ａが形成され、また、下部受皿アース板２５の結線片２５Ｃに対応する位置には、結線用貫通孔１９Ｂが形成され、さらに、各結線片２５Ｂ、２５Ｂに対応する位置にも貫通孔（図示されていない）が形成されている。
【００４８】
このような下部受皿アース板２５と下部受皿ボックス１９の取付は、内枠１６の下方周縁部を覆うように下部受皿アース板２５を内枠１６の内側に密着させ、下部受皿ボックス１９の内側に延出部２５Ａが挿入されつつ、下部受皿ボックス１９の底面後側左右両端部に形成された貫通孔（図示されていない）に各結線片２５Ｂが挿入されると共に、結線片２５Ｃが結線用貫通孔１９Ｂに挿入されて、下部受皿ボックス１９は内枠１６にボルトにより取り付けられる。
【００４９】
これにより、下部受皿ボックス１９内に落下してくる賞球は、合成樹脂製の各排出部９ａ、９ｂや下部受皿ボックス１９との摩擦等により多くの静電気を帯電した場合、この下部受皿アース板２５の延出部２５Ａに接触することにより、この下部受皿アース板２５を介して静電気の電荷は、木製の内枠１６に放電される。
【００５０】
次に、各アース板２２、２３、２４の接地用中継板２１を介した下部受皿アース板２５への接地について図７に基づいて説明する。図７は、本実施形態に係るパチンコゲーム機１の接地用中継板２１、タンクレールアース板２２、各賞球通路アース板２３、２４、及び下部受皿アース板２５の結線状態を示す斜視図である。
図７に示すように、機構セット盤３のタンクレール６の裏側面にネジ止めされたアルミやステンレス等からなる接地用中継板２１のタンクレール６の通路入口側端面には結線片３１が形成され、賞球案内部７側端面には結線片３２、３３、３４が形成されている。
そして、タンクレールアース板２２の結線片２２Ｃと接地用中継板２１の結線片３１とが、アース線３６を介してコネクタにより結線接続されている。また、賞球通路アース板２３の結線片２３Ｃと接地用中継板２１の結線片３２とが、アース線３７を介してコネクタにより結線されている。また、賞球通路アース板２４の結線片２４Ａと接地用中継板２１の結線片３３とが、アース線３８を介してコネクタにより結線接続されている。また、接地用中継板２１の結線片３４と下部受皿アース板２５の結線片２５Ｃとが、アース線３９を介してコネクタにより結線接続されている。さらに、下部受皿アース板２５は、木製の内枠１６の下皿球出口１６Ｂの周縁部に押圧され、面接触している。
これにより、各アース板２２、２３、２４に流れた静電気の電荷は、接地用中継板２１に各アース線３６、３７、３８を介して流れる。そして、この接地用中継板２１に流れた静電気の電荷は、アース線３９を介して、下部受皿アース板２５に流れ、この下部受皿アース板２５に面接触している木製の内枠１６に接地されることとなる。
【００５１】
次に、上記構成のパチンコゲーム機１において、賞球タンクアース板１４の静電気の除電効果を確かめた実験例について図８に基づいて説明する。図８は、本実施形態に係るパチンコゲーム機１の賞球タンクアース板１４による静電気除電効果測定実験の実験結果を示す図である。
先ず、賞球タンクアース板１４による静電気除電効果の実験では、賞球タンクアース板１４にアース線を取付け、このアース線を（１）アース側へ接続しない場合（即ち、外枠２に接続しない場合）、（２）プラスチック製の外枠２に貼着した金属板にアース線を接続した場合（即ち、外枠２を合成樹脂製にした場合）、（３）木製の外枠２に貼着した放電板１５にアース線を接続した場合を比較した。
その設置方法は、パチンコゲーム機１の賞球タンク４内に賞球タンクアース板１４を取り付けてパチンコ球に接触するようにし、（２），（３）の場合には賞球タンクアース板１４にアース線の一端を接続して他端をプラスチック製又は木製の外枠２に貼着した放電板１５に接続する。そして、賞球タンク４に取り付けた賞球タンクアース板１４から平行に２５ｍｍ離れた位置に静電気測定器（シムコジャパン株式会社  ＭＯＤＥＬ  ＦＭ２００）を設置する。
次に、パチンコゲーム機１のパチンコ球を払い出すことによって賞球タンク４内を移動して接触しあうパチンコ球に静電気を帯びさせる。そして、賞球タンク４内の静電気が約１０００ボルトまで上がったところで賞球の払い出しを停止して測定する。その後、静電気測定値の数値を所定の時間間隔（本実験では３０秒間隔で１０分間）で読み取る。
【００５２】
以上の実験結果を、図８に示す。先ず、（１）アース側に接続しない場合における、賞球タンクアース板１４の静電エネルギーの変化を実線で示す。初期値は、約１００ｍＶＡであった。０．５分後は、約９８ｍＶＡであった。１分後は、約９７ｍＶＡであった。２分後は、約９５ｍＶＡであった。３分後は、約９４ｍＶＡであった。４分後は、約９１ｍＶＡであった。５分後は、約９２ｍＶＡであった。６分後は、約８９ｍＶＡであった。７分後は、約８９ｍＶＡであった。８分後は、約８８ｍＶＡであった。９分後は、約８５ｍＶＡであった。１０分後は、約８４ｍＶＡであった。
また、（２）プラスチック製の外枠２に貼着した金属板にアース線を接続した場合における、賞球タンクアース板１４の静電エネルギーの変化を一点鎖線で示す。初期値は、約１００ｍＶＡであった。０．５分後は、約７８ｍＶＡであった。１分後は、約７６ｍＶＡであった。２分後は、約７３ｍＶＡであった。３分後は、約７０ｍＶＡであった。４分後は、約６７ｍＶＡであった。５分後は、約６４ｍＶＡであった。６分後は、約６２ｍＶＡであった。７分後は、約６０ｍＶＡであった。８分後は、約５８ｍＶＡであった。９分後は、約５６ｍＶＡであった。１０分後は、約５５ｍＶＡであった。
また、（３）木製の外枠２に貼着した放電板１５にアース線を接続した場合における、賞球タンクアース板１４の静電エネルギーの変化を破線で示す。初期値は、約１００ｍＶＡであった。０．５分後は、約１９ｍＶＡであった。１分後は、約１９ｍＶＡであった。２分後は、約１６ｍＶＡであった。３分後は、約８ｍＶＡであった。４分後は、約１１ｍＶＡであった。５分後は、約８ｍＶＡであった。６分後は、約１０ｍＶＡであった。７分後は、約９ｍＶＡであった。８分後は、約８ｍＶＡであった。９分後は、約５ｍＶＡであった。１０分後は、約６ｍＶＡであった。
【００５３】
この結果から明らかなように、木製の外枠２に貼着した放電板１５にアース線を接続した場合の除電効果が極めて大きかった。何もアースしない場合はもちろん、プラスチック製の外枠２に貼着した金属板にアース線を接続した場合と比較してもその差は歴然としたものであった。この結果は、以下のことを原因とすると思われる。
先ず、本実施の形態でも使用する木製の外枠２には水分が含まれていることから、電荷の漏洩効果が高く導電率が大きい点である。従って、パチンコ球に帯電した静電気はアース側へと放電し易いため、その分除電効果が高められた。
次に、帯電列中の位置ができるだけ近い材料である金属と木とを組み合わせた点である。金属と木の帯電列の位置は非常に近いために両者の電荷の差は非常に小さく、これに対し金属とプラスチックの位置は遠い。そのため、木製の外枠２の場合には、金属との間で電荷を伝えやすくパチンコ球に帯電した静電気はアース側へと放電し易いため、静電気の除電効果が高かった。
したがって、本実施形態のパチンコゲーム機１の賞球タンク４内に発生する静電気を、賞球タンクアース板１４による木製の外枠２への接地により高効率に除電できる。
【００５４】
次に、上記構成のパチンコゲーム機１において、下部受皿アース板２５の静電気の除電効果を確かめた実験例について図９に基づいて説明する。図９は、本実施形態に係るパチンコゲーム機１のタンクレール６の静電気の帯電量測定実験結果を説明する図であり、（ａ）はタンクレール６の通路入口での帯電量測定結果を示す図、（ｂ）はタンクレール６の通路出口での帯電量測定結果を示す図である。
先ず、タンクレールアース板２２と各賞球通路アース板２３、２４とを各アース線３６、３７、３８を介して接地用中継板２１に結線接続し、この接地用中継板２１をアース線３９を介して下部受皿アース板２５に結線接続後、賞球タンクアース板１４の接触片１４Ａを木製の外枠２の放電板１５に接触させる。そして、タンクレール６の通路入口から平行に２５ｍｍ離れた位置に１台目の静電気測定器（シムコジャパン株式会社  ＭＯＤＥＬ  ＦＭ２００）を設置する。また、タンクレール６の通路出口から平行に２５ｍｍ離れた位置に２台目の静電気測定器（シムコジャパン株式会社  ＭＯＤＥＬ  ＦＭ２００）を設置する。
次に、パチンコゲーム機１のパチンコ球を払い出すことによって賞球タンク４内を移動して接触しあうパチンコ球に静電気を帯びさせる。そして、（１）パチンコ球がタンクレール６内を互いに接触しながら連続して送られている場合（以後、球有りという）、（２）パチンコ球がタンクレール６内を途切れながら送られている場合（以後、球無しという）において測定する。
【００５５】
以上の実験を５回行った実験結果を図９に示す。先ず、図９（ａ）にタンクレール入口における測定結果を示す。（１）球有りの場合には、○印の実線で示すように、１回目は約−０．０３ｋＶＡ、２回目は約−０．０５ｋＶＡ、３回目は約−０．０６ｋＶＡ、４回目は約−０．０４ｋＶＡ、５回目は約−０．０４ｋＶＡであり、（２）球無しの場合には、×印の破線で示すように、１回目は約０．６ｋＶＡ、２回目は約０．０９ｋＶＡ、３回目は約０．１９ｋＶＡ、４回目は約０．０９ｋＶＡ、５回目は約０．０５ｋＶＡであった。
また、図９（ｂ）にタンクレール出口における測定結果を示す。（１）球有りの場合には、○印の実線で示すように、１回目は約０．３ｋＶＡ、２回目は約０．４ｋＶＡ、３回目は約０．３７ｋＶＡ、４回目は約０．４ｋＶＡ、５回目は約０．８ｋＶＡであり、（２）球無しの場合には、×印の破線で示すように、１回目は約−０．５ｋＶＡ、２回目は約−０．６ｋＶＡ、３回目は約−０．６ｋＶＡ、４回目は約−０．６６ｋＶＡ、５回目は約−０．８ｋＶＡであった。
【００５６】
この結果から明らかなように、賞球タンクアース板１４による接地効果だけでなく、タンクレール６以降のパチンコ球から各タンクレールアース板２２、賞球通路アース板２３、２４に流れた静電気は、接地用中継板２１を経て下部受皿アース板２５を介して、帯電列中の位置が近い木製の内枠１６に高効率で放電されて、静電気の除電効果が高かった。
【００５７】
以上詳細に説明した通り、本実施形態のパチンコ機１においては、賞球タンク４内に賞球タンクアース板１４が設けられ、この賞球タンクアース板１４に形成された接触片１４Ａが、内枠１６を閉じたときに木製の外枠２に貼着された放電板１５に接触するように構成されている。
また、タンクレール６の通路入口部にタンクレールアース板６が取り付けられ、賞球案内部７の各賞球通路８に賞球通路アース板２３、２４が取り付けられ、機構セット盤３のタンクレール６の裏側に接地用中継板２１がネジ止めにより取り付けられている。また、下部受皿アース板２５が下部受皿ボックス１９と木製の内枠１６との間に挟まれて取り付けられている。そして、各アース板２２、２３、２４は、接地用中継板２１を経て下部受皿アース板２５にアース線３６、３７、３８、３９により結線接続されている。
これにより、賞球タンク４内のパチンコ球に帯電された静電気は、賞球タンクアース板１４により、放電板１５を介して帯電列中の位置が近い木製の外枠２に高効率で放電される。また、タンクレール６内に送られてくるパチンコ球とタンクレール６自体の帯電した静電気、および賞球案内部７内に送られてくるパチンコ球に帯電された静電気は、各アース板２２、２３、２４及び接地用中継板２１により、結線接続された下部受皿アース板２５を介して帯電列中の位置が近い木製の内枠１６に高効率で放電される。さらに、上皿から溢れて下皿バケツに落下してくるパチンコ球に帯電された静電気も下部受皿アース板２５を介して帯電列中の位置が近い木製の内枠１６に高効率で放電される。
【００５８】
したがって、賞球タンク４内とタンクレール６内のパチンコ球に帯電した静電気、およびタンクレール６自体に帯電した静電気は、賞球タンクアース板１４とタンクレールアース板２２を介して帯電列中の位置が近い木製の外枠２、内枠１６に放電されるため、タンクレール６の通路入口の下方に配置されるメイン基板１０を構成する制御回路等、特にマイクロコンピュータへ及ぼす悪影響の防止ができる。また、賞球タンク内にパチンコ球がほとんど無い場合でも、タンクレール６内のパチンコ球等の帯電した静電気を除電できるため、より確実にメイン基板１０等へ静電気が及ぼす悪影響を防止できる。
また、タンクレール６の通路出口部と賞球案内部７内のパチンコ球が帯電する静電気も賞球通路アース板２３、２４を介して除電されるため、タンクレール６の通路出口部の上方に配置される中継基板２０等への静電気の悪影響を防止できる。さらに、下部受皿ボックス１９内のパチンコ球が帯電する静電気も下部受皿アース板２５を介して除電されるため、下部受皿ボックス１９の上方に配置されるコントロールボックス１８内の回路基板等への静電気の悪影響を防止できる。  また、賞球タンク４内に設けた賞球タンクアース板１４及びその接触片１４Ａに接触する外枠２へ貼着した放電板１５、及び各アース板２２、２３、２４、２５と接地用中継板２１が結線接続されて構成される極めて簡易な構成であるため、部品点数の少なさ、及びその組み立ての容易さから安価に高効率で静電気の除電ができ、製品信頼性の大幅な向上と共に、製造コストダウンを図ることができる。
また、本実施の形態では、アース板１４の接触片１４Ａを放電板１５へ接触させ、パチンコ球に帯電した静電気を外枠２のアース側へ放電するよう構成したので、アース側へ静電気を放電するためのアース線が不要となり、内枠１６等の開閉の際にアース線を取り外す等の手間が省けて作業をスムーズに行うことができ、組立作業や調整作業における作業効率の向上を図ることができる。
また、賞球タンク４からタンクレールアース板２２上へパチンコ球が落下するため、タンクレール６の通路入口部のパチンコ球の落下による磨耗等を防止することができる。また、上皿から下部受皿ボックス１９内の底面を覆う下部受皿アース板２５上にパチンコ球が落下するため、下部受皿ボックス１９内のパチンコ球の落下による磨耗等を防止することができる。
さらに、各アース板１４、２２、２３、２４、２５、接地用中継板２１、及び放電板１５をアルミやステンレス等とすることにより、外枠２または内枠１６を木製とした場合に帯電列中の位置が非常に近く、より除電効果を高くすることができるとともに、耐腐食性に優れた接地手段を構成することができる。
【００５９】
尚、本発明は前記実施形態に限定されることはなく、本発明の要旨を逸脱しない範囲内で種々の改良、変形が可能であることは勿論であり、以下のようにしてもよい。
（ａ）前記実施の形態では外枠２へ放電板１５を貼着したが、賞球タンクアース板１４の接触片１４Ａを直接外枠２へ接触させるようにしてもよい。
（ｂ）前記実施の形態では外枠２と内枠１６を木製としたが、効果は下がるがプラスチック製とするものであってもよい。
（ｃ）賞球タンクアース板１４、放電板１５、各アース板２２、２３、２４、２５、及び接地用中継板２１の形状には実施の形態のものの他、様々な形態のものが考えられる。
（ｄ）賞球タンクアース板１４、放電板１５、各アース板２２、２３、２４、２５、及び接地用中継板２１の材質についても、亜鉛、銅、アルミニウム、ステンレス鋼などの他、クロム等を用いたメッキ材を使用してもよく、導電性が高く、腐食しにくいものが好ましい。
（ｅ）前記実施の形態では賞球タンクアース板１４を放電板１５を介して木製の外枠２に接地したが、アース線等により木製の内枠１６に接地するようにしてもよい。
（ｆ）前記実施の形態では賞球タンクアース板１４の接触片１４Ａが放電板１５に接触するようにしたが、賞球タンクアース板１４の接触片１４Ａを取り除き、結線用の接触片を形成して、アース線により接地用中継板２１に結線接続するようにしてもよい。
【００６０】
【発明の効果】
以上説明した通り請求項１に係るパチンコゲーム機では、タンクレール内を通過するパチンコ球に帯電された静電気、およびタンクレール自体がパチンコ球との摩擦等により帯電された静電気が第３金属板からアース線を介して第６金属板に流れ、更にアース線を介して第５金属板に流れて内枠に接地されるため、ほとんど除電されるとともに、このタンクレールの通路入口の近傍位置に配設されるメイン基板への静電気の悪影響を防止することができるパチンコゲーム機を提供することができる。また、賞球タンク内にパチンコ球がほとんど無い場合でも、タンクレール内のパチンコ球およびタンクレール自体の帯電した静電気を第３金属板を介して除電できる。さらに、賞球タンクから第３金属板上へパチンコ球が落下するため、タンクレール入口のパチンコ球の落下による磨耗等を防止することができるパチンコゲーム機を提供することができる。
また、賞球案内部内に複数形成される各賞球通路内に複数の第４金属板が取り付けられるため、賞球案内部内を通過するパチンコ球に帯電された静電気を各第４金属板からアース線を介して第６金属板に流れ、更にアース線を介して第５金属板に流れて内枠に接地されるため、ほとんど除電できると共に、この賞球案内部の上側近傍位置に配設される中継回路基板等への静電気の悪影響を防止することができるパチンコゲーム機を提供することができる。
また、第５金属板の一端部が下皿受け部の底面を覆うため、下皿入口でパチンコ球に帯電した静電気を第５金属板を介してほとんど除電できるため、この下皿受け部の近傍位置に配設されるコントロールボックス内のコントロール基板等への静電気の悪影響を効果的に防止することができる。また、上皿から下皿受け部内の第５金属板上にパチンコ球が落下するため、下皿受け部底面のパチンコ球の落下による磨耗等を防止することができるパチンコゲーム機を提供することができる。
更に、第３金属板と各第４金属板とを、一度、第６金属板にそれぞれアース線で結線接続後、この第６金属板を第５金属板にアース線で結線接続して木製の内枠に接地するため、第３金属板及び各第４金属板から引き出される接地用配線の長さを短くすることが可能になると共に、第６金属板から第５金属板への接地用配線が１本で可能なため、接地用の配線本数を大幅に削減できて、作業効率の向上を図ることができるパチンコゲーム機を提供することができる。
【００６１】
【００６２】
【００６３】
【００６４】
【００６５】
【００６６】
【００６７】
【００６８】
【００６９】
【００７０】
【００７１】
【００７２】
【図面の簡単な説明】
【図１】  本実施形態に係るパチンコゲーム機全体を示した背面図である。
【図２】  本実施形態に係るパチンコゲーム機の賞球タンクを示した斜視図である。
【図３】  本実施形態に係るパチンコゲーム機の側面を示した一部断面図である。
【図４】  本実施形態に係るパチンコゲーム機のタンクレールアース板のタンクレールへの装着を示す斜視図である。
【図５】  本実施形態に係るパチンコゲーム機の機構セット盤への各賞球通路アース板と各送出樋の装着を示す斜視図である。
【図６】  本実施形態に係るパチンコゲーム機の内枠への下部受皿アース板と下部受皿ボックスの装着を示す斜視図である。
【図７】  本実施形態に係るパチンコゲーム機の接地用中継板、タンクレールアース板、各賞球通路アース板、及び下部受皿アース板の結線接続状態を示す斜視図である。
【図８】  本実施形態に係るパチンコゲーム機の賞球タンクアース板による静電気除電効果測定実験の実験結果を示す図である。
【図９】  本実施形態に係るパチンコゲーム機のタンクレールの静電気の帯電量測定実験結果を説明する図であり、（ａ）はタンクレールの通路入口での帯電量測定結果を示す図、（ｂ）はタンクレールの通路出口での帯電量測定結果を示す図である。
【図１０】  本従来例に係るパチンコゲーム機の前面枠を開放した状態の斜視図である。
【図１１】  本従来例に係るパチンコゲーム機の機構板からメイン基板ボックスを取り外して示す要部の斜視図である。
【符号の説明】
１          パチンコゲーム機
２          外枠
３          機構セット盤
４          賞球タンク
６          タンクレール
７          賞球案内部
８          賞球通路
１０        メイン基板
１４        賞球タンクアース板
１５        放電板
１６        内枠
１７        機構盤
１８        コントロールボックス
１９        下部受皿ボックス
２０        中継基板
２１        接地用中継板
２２        タンクレールアース板
２３、２４  賞球通路アース板
２５        下部受皿アース板
１０１      パチンコゲーム機
１０５      遊技盤取付枠
１０６      機構板
１１３      メイン基板ボックス
１１５      底板
１１６      接触片
１１７      開口部
【図１】
0004174573.tif 000002
【図２】
0004174573.tif 000003
【図３】
0004174573.tif 000004
【図４】
0004174573.tif 000005
【図５】
0004174573.tif 000006
【図６】
0004174573.tif 000007
【図７】
0004174573.tif 000008
【図８】
0004174573.tif 000009
【図９】
0004174573.tif 000010
【図１０】
0004174573.tif 000011
【図１１】
0004174573.tif 000012